(57)【要約】【課題】  衣服を濡らすことなく、従来よりも長い時間、患部を温めることができるタオルを提供すること。【解決手段】  吸水性を有する第１の層と、最外層として防水性を有する第２の層とを備えることを特徴とする。これによれば、タオルにおける通常の機能である吸水性を有する層で温水を蓄えつつ、最外層に防水性を有する層を設けることで、衣服を濡らすことなく、首、肩、腰等の患部を温めることが可能である。【選択図】図１
2010029606.tif 000002
【特許請求の範囲】
【請求項１】
吸水性を有する第１の層と、最外層として防水性を有する第２の層とを備えるタオル。
【請求項２】
前記第１の層を構成する部材は、前記第２の層を構成する部材よりも積層面における面積が小さく、当該第２の層を構成する部材の周縁より内側に配置されている請求項１に記載のタオル。
【請求項３】
前記第１の層と前記第２の層との間に第３の層を設け、当該第３の層は当該第１の層よりも空隙が多い請求項１又は２に記載のタオル。
【請求項４】
前記第１の層と前記第２の層との間に第３の層を設け、当該第３の層は金属薄膜がコーティングされた布である請求項１又は２に記載のタオル。
【請求項５】
前記第１の層が、繊維、不織布又はスポンジからなる請求項１乃至４に記載のタオル。
【請求項６】
前記第２の層が、防水性のある生地若しくはシート、又は、防水加工された生地若しくはシートからなる請求項１乃至５に記載のタオル。
【発明の詳細な説明】
【技術分野】
【０００１】  本発明は、一方の面が防水性を有するタオルに関する。
【背景技術】
【０００２】  加齢による筋肉の柔軟性の低下により、関節を曲げる際に痛みを感じる人は多い。特に気温の低い冬場は顕著である。これに対し、筋肉の柔軟性を回復させる目的で、温水で濡らしたタオルを首、肩、腰等にあてることが日常的に行われている。【０００３】  濡れタオルを患部にあてる行為は、一定の効果があるが、問題点として、衣服を濡らしてしまう、直ぐに冷めてしまう、といった不自由さがある。
【発明の開示】
【発明が解決しようとする課題】
【０００４】  本発明は、このような従来有する問題点に鑑みてなされたものであり、その課題とするところは、衣服を濡らすことなく、従来よりも長い時間、患部を温めることができるタオルを提供することにある。【０００５】  なお、本発明における周辺技術として床敷きマットがある（例えば、特許文献１）。しかし、用途および課題も全く異なることから、発明としては異質なものといえる。
【特許文献１】特開２００３−１５３７８５（請求項１、図２）
【課題を解決するための手段】
【０００６】  本発明者は上記課題を達成すべく鋭意検討した結果、タオルの一方の面に防水性をもたせることによって、上記課題を達成することが可能であることを見出し、本発明を完成するに至った。即ち、本発明によれば、以下に示すタオルが提供される。【０００７】  本発明によれば、吸水性を有する第１の層と、最外層として防水性を有する第２の層とを備えるタオルが提供される。【０００８】  これによれば、タオルにおける通常の機能である吸水性を有する層で温水を蓄えつつ、最外層に防水性を有する層を設けることで、衣服を濡らすことなく、首、肩、腰等の患部を温めることが可能となる。【０００９】  ここでいう防水性を有する層とは、非透水性と撥水性とを備える層をいい、より具体的には、吸水性を有する層で蓄えた水分を層内で透過することがなく、また、タオル表面を構成する層表面において撥水性を示すものをいう。【００１０】  ここで、第１の層を構成する部材は、第２の層を構成する部材よりも積層面における面積が小さく、第２の層を構成する部材の周縁より内側に配置されるのが好ましい。こうすることで、第１の層で蓄えた水分は、第２の層で全て覆われるため、衣服と接触することがなくなるからである。【００１１】  本発明においては、第１の層と第２の層との間に第３の層を設けてもよい。【００１２】  第３の層を設けることで上述した防水性以外の付加機能を加えることができるからである。したがって、第３の層は、第１の層及び第２の層と材料、構造が異なるものであってもよい。【００１３】  例えば、第３の層は第１の層よりも空隙が多くともよい。この構成により断熱性が向上し、より長い時間、患部を温めることができると考えられる。【００１４】  また、第３の層は少なくとも金属を含む材料から構成されていてもよい。これによれば、金属が蓄熱することで、より長い時間、患部を温めることができると考えられる。【００１５】  この場合、第３の層は、金属薄膜がコーティングされた繊維によって形成された布又は直接コーティングされた布が好適である。タオルとして絞り易いからである。【００１６】  第３の層が吸水性を有する場合は、第３の層を構成する部材は、第２の層を構成する部材よりも積層面における面積が小さく、第２の層を構成する部材の周縁より内側に配置されるのが好ましい。一方、第３の層が吸水性を有しない場合は、上記面積は第２の層と同一又はそれ以下とすればよい。【００１７】  本発明を構成する部材の材料については、第１の層は、繊維、不織布又はスポンジが好適である。【００１８】  また、第２の層は、防水性のある生地若しくはシート、又は、防水加工された生地若しくはシートが好適である。
【発明の効果】
【００１９】  以上、本発明によれば、衣服を濡らすことなく、従来よりも長い時間、患部を温めることができるタオルを提供することができる。【００２０】  なお、上記では患部を温めることを主眼において説明したが、本発明におけるタオルは、冷水で濡らすことにより、冷やす目的で使用されてもよい。また、本発明の特徴はタオル表面が防水性を有することである。これによれば、タオルとして顔や物を拭く際に手が濡れないという特徴をも有する。従って、本発明は、患部を温める以外の用途でも好適であり、台拭きや手ぬぐいといった用途に使用されてもよい。
【発明を実施するための最良の形態】
【００２１】  以下、本発明の実施の最良の形態を図面を参照して説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。【００２２】  図１は、本発明のタオルの一実施形態を模式的に示す斜視図である。図１における面Ａはタオル１００のある位置で切断した場合の切断面である。タオル１００は、第１の層１０と第２の層２０とからなり、第１の層１０と第２の層２０は糸３０により縫合されている。ここで、第１の層１０は第２の層２０に覆われるように配置されている。なお、各層（第３の層も含む。）の接合方法に特に限定はなく、糸のほか接着剤により接合されてもよく、また熱圧着等により接合されてもよい。【００２３】  第１の層１０は吸水性を有する部材から構成されている。吸水性を有する部材として、不織布、スポンジ（ポリウレタン、ＰＶＡ）、繊維（セルロース、コットン）等が挙げられる。【００２４】  第２の層２０は防水性を有する部材から構成されている。防水性を有する部材は、防水性のある生地若しくはシート、又は、防水加工された生地若しくはシートから形成されている。【００２５】  ここで、防水性のある生地若しくはシートとしては、ポリクロロプレン生地、ビニールシート（ポリエチレン、ポリプロピレン）が挙げられる。また、断熱性を考慮すると、ラテックス、ゴム、金属薄膜がコーティングされた繊維によって形成された布又は直接コーティングされた布（例えば、アルミ蒸着されたナイロン、アクリル、ポリエステル）、ポリプロピレン不織布が挙げられる。なお、ここで挙げられた材料は第３の層として使用してもよい。【００２６】  防水加工された生地若しくはシートとしては、例えばポリエステル素材に防水加工を施したものが挙げられ、防水加工としてはシリコン、フッ素樹脂等でコートすることが挙げられる。【００２７】  タオル１００の寸法に特に制限はなく、日常的に使用されるタオルにおける通常の寸法であればよい。本発明の機能を考慮すると折り畳まれることなく使用されることが想定されるため、比較的長細く小さいものが好ましいと考えられる。例えば、幅として５ｃｍ以上３０ｃｍ以下、好ましくは１５ｃｍ以下、長さとして１５ｃｍ以上９０ｃｍ以下、好ましくは４５ｃｍ以下が挙げられる。タオル１００の厚みも絞れる範囲であれば特に制限はない。蓄えられる水分量を考慮すると、タオル厚みは比較的厚い方が好ましいと考えられる。例えば、０．２ｃｍ以上２ｃｍ以下が挙げられる。【００２８】  上述のようにタオルの条件として、絞れること、水分を蓄えられることが必要である。この点を考慮すると、第１の層１０は厚く、第２の層２０はそれよりも薄く形成されるのが好ましい。特に第２の層２０は、非透水性を有する必要があることから第１の層１０よりも剛性の高い材料となり易い。これを考慮すると、第２の層２０は、０．１以上２ｍｍ以下、好ましくは１ｍｍ以下とするのが望ましい。
【図面の簡単な説明】
【００２９】
【図１】  図１は、本発明のタオルの一実施形態を模式的に示す斜視図である。
【符号の説明】
【００３０】１０…第１の層、２０…第２の層、３０…糸、１００…タオル
【図１】
2010029606.tif 000003